(57)【要約】  電気信号および光信号を伝送できるケーブルアセンブリを提供する。ケーブルアセンブリは、ケーブルと、ケーブルの延伸方向におけるケーブルの端部に設けられたコネクタと、電気信号を伝送する複数の電気伝送線と、光信号を伝送する複数の光伝送線と、を備える。ケーブルアセンブリの内部には、複数の電気伝送線と複数の光伝送線とが、ケーブルとコネクタとに跨って設けられ、複数の光伝送線は、ケーブルの延伸方向に垂直な幅方向において、ケーブルアセンブリの両端のそれぞれに１つ以上設けられ、複数の電気伝送線は、幅方向において、複数の光伝送線より内側に設けられている。
2017209098.tif 000002
【特許請求の範囲】
【請求項１】
ケーブルと、
前記ケーブルの延伸方向における前記ケーブルの端部に設けられたコネクタと、
電気信号を伝送する複数の電気伝送線と、
光信号を伝送する複数の光伝送線と、を備え、
前記複数の電気伝送線と前記複数の光伝送線とが、前記ケーブルと前記コネクタとに跨って設けられ、
前記複数の光伝送線は、前記ケーブルの前記延伸方向に垂直な幅方向において、前記ケーブルおよび前記コネクタの両端のそれぞれに１つ以上設けられ、
前記複数の電気伝送線は、前記幅方向において、前記複数の光伝送線より内側に設けられている、
ケーブルアセンブリ。
【請求項２】
前記複数の光伝送線のそれぞれは、前記ケーブルの前記延伸方向に沿って、互いに平行に設けられている、
請求項１に記載のケーブルアセンブリ。
【請求項３】
前記複数の光伝送線のそれぞれは、前記ケーブルの前記延伸方向および前記幅方向の双方に垂直な方向から見た場合に、直線状である、
請求項１に記載のケーブルアセンブリ。
【請求項４】
前記複数の光伝送線は、前記ケーブルの延伸方向および前記幅方向の双方に垂直な方向から見た場合に、前記延伸方向に平行な前記ケーブルの中心線に対して対称となるように配置されている、
請求項１に記載のケーブルアセンブリ。
【請求項５】
前記ケーブルは、フラットケーブルである、
請求項１に記載のケーブルアセンブリ。
【請求項６】
前記コネクタは、前記複数の電気伝送線のそれぞれと電気的に接続される複数の電気端子を有し、
前記複数の電気端子のそれぞれは、ＨＤＭＩ（登録商標）規格に準拠して配列され、
前記複数の光伝送線は、前記コネクタ内において、前記複数の電気端子の前記幅方向における外側に設けられている、
請求項１に記載のケーブルアセンブリ。
【請求項７】
前記ケーブルは、前記複数の電気伝送線および前記複数の光伝送線を覆う被覆部を有し、
前記複数の光伝送線のそれぞれと前記被覆部との間には、緩衝材が設けられている、
請求項１に記載のケーブルアセンブリ。
【発明の詳細な説明】
【技術分野】
【０００１】
本開示は、コネクタ付きケーブルであるケーブルアセンブリに関する。
【背景技術】
【０００２】
ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）は、高精細度デジタルビデオ／オーディオインターフェースに関する技術であり、この技術は高精細度ビデオ／オーディオ信号の伝送に幅広く使用されている。ＨＤＭＩ（登録商標）規格（例えば非特許文献１参照）においては、ＨＤＭＩ（登録商標）ケーブルやＨＤＭＩ（登録商標）コネクタの仕様が定められており、適用される規格のバージョンが異なっても、例えばタイプＡのコネクタの形状等は変わらない。そのため、古いＡＶ（Ａｕｄｉｏ  Ｖｉｓｕａｌ）機器と新しいＡＶ機器との間でもＨＤＭＩ（登録商標）ケーブルによって相互に接続が可能である。このように、ＨＤＭＩ（登録商標）規格は互換性が高いため、ＨＤＭＩ（登録商標）規格に準拠したケーブルやコネクタ等が、広く用いられている。
【先行技術文献】
【非特許文献】
【０００３】
【非特許文献１】ＨＤＭＩ（登録商標）  Ｓｐｅｃｉｆｉｃａｔｉｏｎ  Ｖｅｒ．１．３ａ［平成２７年１２月１日検索］、インターネット＜URL：http://www.hdmi.org/manufacturer/specification.aspx＞
【発明の概要】
【０００４】
本開示は、電気信号および光信号を伝送することができ、シンプルな構造を維持したままＨＤＭＩ（登録商標）規格に準拠したコネクタを設けることができるケーブルアセンブリを提供する。
【０００５】
本開示におけるケーブルアセンブリは、ケーブルと、前記ケーブルの延伸方向における前記ケーブルの端部に設けられたコネクタと、電気信号を伝送する複数の電気伝送線と、光信号を伝送する複数の光伝送線と、を備える。前記複数の電気伝送線と前記複数の光伝送線とは、前記ケーブルと前記コネクタとに跨って設けられ、前記複数の光伝送線は、前記ケーブルの前記延伸方向に垂直な幅方向において、前記ケーブルおよび前記コネクタの両端のそれぞれに１つ以上設けられ、前記複数の電気伝送線は、前記幅方向において、前記複数の光伝送線より内側に設けられている。
【０００６】
本開示は、電気信号および光信号を伝送することができ、シンプルな構造を維持したままＨＤＭＩ（登録商標）規格に準拠したコネクタを設けることができるケーブルアセンブリを提供することができる。
【図面の簡単な説明】
【０００７】
【図１】図１は、比較例におけるケーブルの断面を模式的に示す断面図である。
【図２】図２は、実施の形態１におけるケーブルアセンブリと、ケーブルアセンブリによって相互に接続される送信機および受信機とを模式的に示す図である。
【図３】図３は、実施の形態１におけるケーブルアセンブリのコネクタを送信機（または受信機）のコネクタから取り外した状態を模式的に示す図である。
【図４】図４は、図３におけるケーブルアセンブリのケーブルの断面を模式的に示す断面図である。
【図５】図５は、図３におけるケーブルアセンブリのコネクタの正面図である。
【図６】図６は、図３におけるケーブルアセンブリのｂ−ｂ線断面図である。
【図７】図７は、図３における送信機（または受信機）のコネクタの正面図である。
【図８】図８は、図３における送信機（または受信機）のコネクタのａ−ａ線断面図である。
【図９】図９は、実施の形態１におけるケーブルアセンブリのコネクタと送信機（または受信機）のコネクタとの接続状態を模式的に示す断面図である。
【図１０】図１０は、実施の形態１の変形例におけるケーブルアセンブリのケーブルの断面を模式的に示す断面図である。
【発明を実施するための形態】
【０００８】
本開示のケーブルアセンブリは、例えば、高精細度ビデオ／オーディオ信号等の情報量が相対的に多い信号を高速伝送する場合に使用されるコネクタ付きケーブルである。
【０００９】
まず、比較例を参照しつつ、ケーブルアセンブリの課題について説明する。
【００１０】
（比較例）
図１は、比較例におけるケーブル５０３の断面を模式的に示す断面図である。
【００１１】
比較例におけるケーブル５０３は、電気信号を伝送する複数の電気伝送線（例えば、金属線、等）５３６と、光信号を伝送する複数の光伝送線（例えば、光ファイバー、等）５２３と、電気伝送線５３６および光伝送線５２３の周囲を覆う被覆部５０４と、を有している。ケーブル５０３では、複数（例えば、４本）の光伝送線５２３がケーブル５０３の中央付近に配置され、これら光伝送線５２３を複数（例えば、７本）の電気伝送線５３６で囲むようにして電気伝送線５３６が配置されている。ケーブル５０３は、このように構成されることで、光伝送線５２３の破損が抑制される。
【００１２】
ここで、比較例におけるケーブル５０３をＨＤＭＩ（登録商標）規格に準拠したコネクタに繋ぐ場合を想定する（そのコネクタの各端子の配列は、例えば、後述の図５を参照）。そのコネクタにおいて、電気端子の配列は、ＨＤＭＩ（登録商標）規格に基づいて決められており、光伝送線５２３の端部は、コネクタの幅方向Ｗ（図５参照）において電気端子の外側に配置される。そのため、ケーブル５０３の電気伝送線５３６をその電気端子の配列に対応させるためには、コネクタ内において、電気伝送線５３６を光伝送線５２３よりも内側に引き込み、光伝送線５２３を電気端子よりも外側の領域に引き出さねばならない。
【００１３】
そのような場合、コネクタ内において、光伝送線５２３と電気伝送線５３６とが交差する複雑な構造が生じる。そのため、光伝送線５２３のそれぞれの長さを互いに等しくすることが困難となる場合がある。光伝送線５２３の長さが互いに等しくない場合、光信号の位相が相互に合いにくくなるため光信号の伝送効率が低下し、膨大な情報の信号を高速に伝送することが困難となることがある。
【００１４】
本開示では、ケーブルアセンブリをシンプルな構造とすることができる。これにより、光伝送線の長さの互いの寸法差を相対的に小さくし、信号の伝送効率を向上させることができる。
【００１５】
（実施の形態１）
次に、本開示におけるケーブルアセンブリについて、図面を参照しつつ説明する。ただし、必要以上に詳細な説明は省略する場合がある。例えば、すでによく知られた事項の詳細説明、および実質的に同一の構成に対する重複説明を省略する場合がある。これは、以下の説明が不必要に冗長になるのを避け、当業者の理解を容易にするためである。
【００１６】
なお、以下の実施の形態および添付図面は、本開示におけるケーブルアセンブリの一例を示したものに過ぎない。したがって本開示は、以下の実施の形態を参考に請求の範囲の文言によって範囲が画定されるものであり、以下の実施の形態のみに限定されるものではない。よって、以下の実施の形態における構成要素のうち、本開示の最上位概念を示す独立請求項に記載されていない構成要素については、本開示の課題を達成するのに必ずしも必要ではないが、より好ましい形態を構成するものとして説明される。
【００１７】
また、各図面は、本開示を示すために適宜強調や省略、比率の調整を行った模式的な図となっており、実際の形状や位置関係、比率とは異なる場合がある。また、各図において、実質的に同じ構成要素については同じ符号を付し、説明を省略または簡略化する場合がある。
【００１８】
［１−１．ケーブルアセンブリの構成］
まず、ケーブルアセンブリの概略構成について説明する。
【００１９】
図２は、実施の形態１におけるケーブルアセンブリ１００と、ケーブルアセンブリ１００によって相互に接続される送信機２１０（例えば、映像信号送信機）および受信機２２０（例えば、映像信号受信機）と、を模式的に示す図である。
【００２０】
ケーブルアセンブリ１００は、図２に示すように、ケーブル１０３と、ケーブル１０３の延伸方向Ｌにおけるケーブル１０３の端部に設けられたコネクタ１０２と、電気信号を伝送する複数（例えば、７本）の電気伝送線１３６ａ、１３６ｂ、１３６ｃ、１３６ｄ、１３６ｅ、１３６ｆおよび１３６ｇと、光信号を伝送する複数（例えば、４本）の光伝送線１２３ａ、１２３ｂ、１２３ｃおよび１２３ｄと、を備えている。本実施の形態のケーブルアセンブリ１００においては、図２に例示するように、ケーブル１０３の両端部にコネクタ１０２が設けられている。これらのコネクタ１０２は、プラグであり、ＨＤＭＩ（登録商標）規格に準拠している。
【００２１】
送信機２１０および受信機２２０のそれぞれには、コネクタ１０２に接続されるコネクタ１０１が設けられている。これらのコネクタ１０１は、レセプタクルであり、ＨＤＭＩ（登録商標）規格に準拠している。ケーブル１０３の一端部側のコネクタ１０２と送信機２１０のコネクタ１０１とを互いに接続し、ケーブル１０３の他端部側のコネクタ１０２と受信機２２０のコネクタ１０１とを互いに接続することで、送信機２１０と受信機２２０とが相互に接続され、送信機２１０と受信機２２０との間での情報伝送が可能となる。
【００２２】
ケーブル１０３およびコネクタ１０２の内部には、電気伝送線１３６ａ〜１３６ｇと、光伝送線１２３ａ〜１２３ｄとが、ケーブル１０３とコネクタ１０２とに跨って設けられている。
【００２３】
電気伝送線１３６ａ〜１３６ｇおよび光伝送線１２３ａ〜１２３ｄには、被覆部１０４によって覆われてケーブル１０３を構成する部分と、樹脂モールド部１２７によって覆われてコネクタ１０２を構成する部分と、がある。被覆部１０４は、樹脂モールド部１２７よりも柔軟性を有する樹脂材料で形成されている。そのため、ケーブル１０３は柔軟性を有し曲げることが可能であるが、以下では、ケーブル１０３は、図２に示すように直線状に配置されているものとして説明を行う。すなわち、延伸方向Ｌは、直線状に配置されたケーブル１０３の延伸方向である。
【００２４】
光伝送線１２３ａ〜１２３ｄのそれぞれは、例えば、プラスチックで形成される光ファイバーであり、その直径は、例えば、０．５ｍｍ程度である。
【００２５】
光伝送線１２３ａ〜１２３ｄは、ケーブル１０３の延伸方向Ｌに垂直な方向（幅方向）Ｗにおけるケーブルアセンブリ１００の両端のそれぞれに１つ以上設けられている。具体的には、２本の光伝送線１２３ａ、１２３ｂは、幅方向Ｗにおいて電気伝送線１３６ａ〜１３６ｇのうちの最も外側（図２における最も上）に配置された電気伝送線１３６ａよりもさらに外側（図２においてさらに上）に配置され、２本の光伝送線１２３ｃ、１２３ｄは、幅方向Ｗにおいて電気伝送線１３６ａ〜１３６ｇのうちの最も外側（図２における最も下）に配置された電気伝送線１３６ｇよりもさらに外側（図２においてさらに下）に配置されている。
【００２６】
光伝送線１２３ａ〜１２３ｄのそれぞれは、ケーブル１０３の延伸方向Ｌに沿って、互いに平行に設けられている。
【００２７】
光伝送線１２３ａ、１２３ｂと光伝送線１２３ｃ、１２３ｄとは、ケーブル１０３の延伸方向Ｌおよび幅方向Ｗの双方に垂直な方向（図３に示す高さ方向Ｈ）から見た場合に、延伸方向Ｌに平行なケーブル１０３の中心線Ｃに対して線対称となるように配置されている。すなわち、ケーブルアセンブリ１００においては、光伝送線１２３ａ〜１２３ｄのうち、幅方向Ｗにおいて最も外側に配置された光伝送線１２３ａ、１２３ｄの中間に位置する線が、ケーブル１０３の延伸方向Ｌに平行な中心線Ｃに等しく、光伝送線１２３ｂと光伝送線１２３ｃとは、その中心線Ｃに対して、線対称に配置されている。
【００２８】
また、光伝送線１２３ａ〜１２３ｄのそれぞれは、ケーブル１０３の延伸方向Ｌおよび幅方向Ｗの双方に垂直な方向（高さ方向Ｈ）から見た場合に、直線状になるように形成されている。すなわち、光伝送線１２３ａ〜１２３ｄは、高さ方向Ｈから見た場合に、一端部側のコネクタ１０２からケーブル１０３を通り他端部側のコネクタ１０２に渡って、直線状に形成されている。
【００２９】
電気伝送線１３６ａ〜１３６ｇは、電気信号を伝送できるように構成された金属線（例えば、銅線、等）を備えて構成される。電気伝送線１３６ａ〜１３６ｇの各々の直径は、例えば０．１ｍｍ〜１ｍｍ程度である。電気伝送線１３６ａ〜１３６ｇのうちの一部の電気伝送線または全ての電気伝送線が、樹脂チューブ等により被覆されていてもよい。なお、図４には、電気伝送線１３６ａ〜１３６ｄが樹脂チューブ１３７で被覆されている構成例を示す。また、本実施の形態では、電気伝送線１３６ａ〜１３６ｄの直径が相対的に大きく（例えば、１ｍｍ）、電気伝送線１３６ｅ〜１３６ｇの直径が相対的に小さい（例えば、０．１ｍｍ）構成例を示す。しかし、本開示は何らこの構成に限定されない。全ての電気伝送線１３６ａ〜１３６ｇの直径が互いに同じであってもよく、互いに異なる３つ以上の直径の電気伝送線が混在していてもよい。
【００３０】
電気伝送線１３６ａ〜１３６ｇは、光伝送線１２３ｂと光伝送線１２３ｃとの間に、幅方向Ｗに並んで互いに平行に配置されている。なお、電気伝送線１３６ａ〜１３６ｇは、ＨＤＭＩ（登録商標）規格に準拠したコネクタ１０２の電気端子の配列に対応できるように配置されている。
【００３１】
次に、ケーブルアセンブリ１００の細部構成について説明する。
【００３２】
図３は、実施の形態１におけるケーブルアセンブリ１００のコネクタ１０２を送信機２１０（または受信機２２０）のコネクタ１０１から取り外した状態を模式的に示す図である。
【００３３】
図４は、図３におけるケーブルアセンブリ１００のケーブル１０３の断面を模式的に示す断面図である。
【００３４】
ケーブル１０３は、図４に示すように、高さ方向Ｈにおいて互いに対向する両表面が平坦なフラットケーブルである。光伝送線１２３ａ〜１２３ｄは、幅方向Ｗにおいて、ケーブル１０３の両端のそれぞれに２本ずつ設けられている。具体的には、幅方向Ｗにおけるケーブル１０３の一端側に光伝送線１２３ａ、１２３ｂが設けられ、他端側に光伝送線１２３ｃ、１２３ｄが設けられている。電気伝送線１３６ａ〜１３６ｇは、幅方向Ｗにおける光伝送線１２３ｂと光伝送線１２３ｃとの間（すなわち内側）に設けられている。そして、光伝送線１２３ａ〜１２３ｄおよび電気伝送線１３６ａ〜１３６ｇは、被覆部１０４により覆われている。
【００３５】
図５は、図３におけるケーブルアセンブリ１００のコネクタ１０２の正面図である。
【００３６】
図６は、図３におけるケーブルアセンブリ１００のｂ−ｂ線断面図である。なお、図６では、光伝送線１２３ａ〜１２３ｄのみを図示し、電気伝送線１３６ａ〜１３６ｇの図示は省略している。
【００３７】
図３に示すように、コネクタ１０２は、送信機２１０（または受信機２２０）のコネクタ１０１に接続可能な部材である。コネクタ１０２は、図３、図５および図６に示すように、挿入部１２１と、突出部１２２と、複数の電気端子１２６と、複数のスロット１２５と、電気伝送線１３６ａ〜１３６ｇの各々の一部（図示を省略）と、光伝送線１２３ａ〜１２３ｄの各々の一部と、樹脂モールド部１２７と、端部１２４ａ〜１２４ｄと、を有している。端部１２４ａ〜１２４ｄは、光伝送線１２３ａ〜１２３ｄの端部が突出部１２２の表面に露出することで形成される。
【００３８】
挿入部１２１は、コネクタ１０１の筒体部１１１に挿入可能な形状を有している。具体的には、挿入部１２１は、ＨＤＭＩ（登録商標）規格に準拠した形状で形成されており、コネクタ１０１の筒体部１１１に挿入されることで筒体部１１１に保持される。
【００３９】
突出部１２２は、図３、図５および図６に示すように、挿入部１２１の先端に設けられ、挿入部１２１の先端からケーブル１０３の延伸方向Ｌに突出する形状を有している。突出部１２２は、コネクタ１０１に設けられている陥凹部１１２（図７、図８参照）と嵌め合うことができるように形成されている。
【００４０】
コネクタ１０２において、複数の電気端子１２６は、ＨＤＭＩ（登録商標）規格に準拠して配列されている。電気端子１２６は、コネクタ１０２の挿入部１２１が送信機２１０（または受信機２２０）のコネクタ１０１の筒体部１１１に挿入されたときに、コネクタ１０１の電気端子１１６（図７参照）との電気的な接続が確実なものとなるように、電気端子１１６に向かう付勢力が発生するように挿入方向に突出した状態でコネクタ１０２に取り付けられている。
【００４１】
スロット１２５は、コネクタ１０２の挿入部１２１の内壁面に形成された溝状の部分である。スロット１２５は、コネクタ１０２の挿入部１２１が送信機２１０（または受信機２２０）のコネクタ１０１の筒体部１１１に挿入され、電気端子１２６がコネクタ１０１に設けられた電気端子１１６に接触して押し広げられるときに、電気端子１２６の逃げ代となるように形成されている。
【００４２】
電気伝送線１３６ａ〜１３６ｇが有する複数の金属線は、複数の電気端子１２６のそれぞれに対応しており、電気端子１２６のそれぞれに電気的に接続されている。本実施の形態では、コネクタ１０２は１９本の電気端子１２６を備え、電気伝送線１３６ａ〜１３６ｇは合計１９本の金属線を備えている（例えば、電気伝送線１３６ａ〜１３６ｄ、１３６ｆはそれぞれ３本の金属線を備え、電気伝送線１３６ｅ、１３６ｇはそれぞれ２本の金属線を備えている）。そして、１９本の金属線の各々が１９本の電気端子１２６の各々に電気的に接続されている。
【００４３】
光伝送線１２３ａ〜１２３ｄは、図６に示すように、幅方向Ｗにおけるコネクタ１０２の両端にそれぞれ２本ずつ設けられている。光伝送線１２３ａ〜１２３ｄのそれぞれは、ケーブル１０３の延伸方向Ｌおよび幅方向Ｗの双方に垂直な方向（高さ方向Ｈ）から見た場合に、ケーブル１０３からコネクタ１０２の突出部１２２に渡って直線状に形成されている。また、図５に示すように、光伝送線１２３ａ〜１２３ｄの各々の端部１２４ａ〜１２４ｄは、突出部１２２において露出しており、光伝送線１２３ａ〜１２３ｄの配置位置に対応して、幅方向Ｗにおける電気端子１２６の両外側に２つずつ配置されている。
【００４４】
なお、ケーブルアセンブリ１００を幅方向Ｗから見た場合、突出部１２２における光伝送線１２３ａ〜１２３ｄの高さ方向Ｈの位置と、ケーブル１０３内における光伝送線１２３ａ〜１２３ｄの高さ方向Ｈの位置とは異なっている。そのため、光伝送線１２３ａ〜１２３ｄは、コネクタ１０２内において、ケーブル１０３から突出部１２２へ移行する傾斜部分を有している（図示を省略）。
【００４５】
［１−２．送信機（または受信機）のコネクタとケーブルアセンブリのコネクタとの接続構成］
図７は、図３における送信機２１０（または受信機２２０）のコネクタ１０１の正面図ある。
【００４６】
図８は、図３における送信機２１０（または受信機２２０）のコネクタ１０１のａ−ａ線断面図である。なお、図８では、光伝送線１１３ａ〜１１３ｄのみを図示し、電気伝送線の図示は省略している。
【００４７】
送信機２１０（または受信機２２０）のコネクタ１０１は、筒体部１１１と、陥凹部１１２と、基板１１５と、複数の電気端子１１６と、複数の光伝送線１１３ａ〜１１３ｄと、端部１１４ａ〜１１４ｄと、を備えている。端部１１４ａ〜１１４ｄは、光伝送線１１３ａ〜１１３ｄの端部が陥凹部１１２の表面に露出することで形成されている。なお、光伝送線１１３ａ〜１１３ｄの一部は、樹脂モールド部１１７により覆われている。
【００４８】
筒体部１１１は、筒状の部材であり、コネクタ１０２の挿入部１２１を挿入可能な空間である保持空間１１０を形成する。筒体部１１１は、ＨＤＭＩ（登録商標）規格に準拠した形状で保持空間１１０を形成しており、コネクタ１０２の挿入部１２１が保持空間１１０に挿入された状態でコネクタ１０２を保持することができる。
【００４９】
陥凹部１１２は、コネクタ１０２に設けられた突出部１２２を嵌合できる形状に形成されており、コネクタ１０２の挿入部１２１が保持空間１１０に挿入されたときに、挿入部１２１の先端に設けられた突出部１２２が嵌合される部分である。
【００５０】
電気端子１１６は、ＨＤＭＩ（登録商標）規格に準拠して基板１１５に配列されている。電気端子１１６には、送信機２１０または受信機２２０の配線（電気伝送線）が電気的に接続される。
【００５１】
基板１１５は、複数の配列された電気端子１１６を保持する絶縁性の部材であり、基板１１５の表面と裏面の両面のそれぞれに複数の電気端子１１６を備えている。この基板１１５が、筒体部１１１の保持空間１１０に挿入されるコネクタ１０２の挿入部１２１内に差し込まれることで、各電気端子１１６が、コネクタ１０２の電気端子１２６のそれぞれに電気的に接続される。
【００５２】
光伝送線１１３ａ〜１１３ｄは、光信号を伝送する伝送線である。光伝送線１１３ａ〜１１３ｄのそれぞれは、例えば、プラスチックで形成される光ファイバーであり、その直径は、例えば、０．５ｍｍ程度である。光伝送線１１３ａ〜１１３ｄの各々の端部１１４ａ〜１１４ｄは、陥凹部１１２おいて露出しており、筒体部１１１の保持空間１１０に挿入されるコネクタ１０２の挿入部１２１に設けられた光伝送線１２３ａ〜１２３ｄの端部１２４ａ〜１２４ｄのそれぞれに対応する位置に配置されている。
【００５３】
光伝送線１１３ａ〜１１３ｄは、幅方向Ｗにおけるコネクタ１０１の両端にそれぞれ２本ずつ設けられている。具体的には、光伝送線１１３ａ〜１１３ｄは、コネクタ１０１内において、幅方向Ｗにおける電気端子１１６の両外側に２本ずつ設けられている。
【００５４】
上記のように構成された本実施の形態におけるケーブルアセンブリ１００のコネクタ１０２と送信機２１０（または受信機２２０）のコネクタ１０１とが、相互に接続される。
【００５５】
図９は、実施の形態１におけるケーブルアセンブリ１００のコネクタ１０２と送信機２１０（または受信機２２０）のコネクタ１０１との接続状態を模式的に示す断面図である。なお、図９では、ケーブルアセンブリ１００の光伝送線１２３ａ〜１２３ｄおよびコネクタ１０１の光伝送線１２３ａ〜１２３ｄのみを図示し、ケーブルアセンブリ１００の電気伝送線１３６ａ〜１３６ｇおよびコネクタ１０１の電気伝送線の図示は省略している。
【００５６】
図９に示すように、コネクタ１０２の挿入部１２１を、送信機２１０（または受信機２２０）のコネクタ１０１の筒体部１１１に挿入することで、コネクタ１０２とコネクタ１０１とが相互に接続される。この接続により、ケーブルアセンブリ１００の光伝送線１２３ａ〜１２３ｄの端部１２４ａ〜１２４ｄと、コネクタ１０１の光伝送線１１３ａ〜１１３ｄの端部１１４ａ〜１１４ｄとが互いに対向し、光伝送線１２３ａ〜１２３ｄと光伝送線１１３ａ〜１１３ｄとの間で光信号の伝送が可能な状態となる。これにより、図２に示したようにケーブルアセンブリ１００を介して相互に接続された送信機２１０と受信機２２０との間では、ケーブルアセンブリ１００の光伝送線１２３ａ〜１２３ｄ、および、コネクタ１０２とコネクタ１０１との接続箇所において互いに対向する端部１２４ａ〜１２４ｄと端部１１４ａ〜１１４ｄと、を介して、光信号による情報伝送が可能となる。また、コネクタ１０２とコネクタ１０１との接続により、コネクタ１０２の電気端子１２６とコネクタ１０１の電気端子１１６とが互いに電気的に接続され、送信機２１０と受信機２２０との間でケーブルアセンブリ１００の電気伝送線１３６ａ〜１３６ｇを介した電気信号による情報伝送が可能となる。
【００５７】
［１−３．効果等］
以上のように、本実施の形態において、ケーブルアセンブリは、ケーブルと、ケーブルの延伸方向におけるケーブルの端部に設けられたコネクタと、電気信号を伝送する複数の電気伝送線と、光信号を伝送する複数の光伝送線と、を備える。複数の電気伝送線と複数の光伝送線とは、ケーブルとコネクタとに跨って設けられ、複数の光伝送線は、ケーブルの延伸方向に垂直な幅方向において、ケーブルおよびコネクタの両端のそれぞれに１つ以上設けられ、複数の電気伝送線は、幅方向において、複数の光伝送線より内側に設けられている。
【００５８】
なお、ケーブルアセンブリ１００はケーブルアセンブリの一例である。ケーブル１０３はケーブルの一例である。コネクタ１０２はコネクタの一例である。電気伝送線１３６ａ〜１３６ｇは電気伝送線の一例である。光伝送線１２３ａ〜１２３ｄは光伝送線の一例である。
【００５９】
例えば、実施の形態１に示した例では、ケーブルアセンブリ１００は、ケーブル１０３と、ケーブル１０３の延伸方向Ｌにおけるケーブル１０３の端部に設けられたコネクタ１０２と、電気信号を伝送する複数の電気伝送線１３６ａ〜１３６ｇと、光信号を伝送する複数の光伝送線１２３ａ〜１２３ｄと、を備える。複数の電気伝送線１３６ａ〜１３６ｇと複数の光伝送線１２３ａ〜１２３ｄとは、ケーブル１０３とコネクタ１０２とに跨って設けられ、複数の光伝送線１２３ａ〜１２３ｄは、ケーブル１０３の延伸方向Ｌに垂直な幅方向Ｗにおいて、ケーブル１０３およびコネクタ１０２の両端のそれぞれに１つ以上設けられ、複数の電気伝送線１３６ａ〜１３６ｇは、幅方向Ｗにおいて、複数の光伝送線１２３ａ〜１２３ｄより内側に設けられている。
【００６０】
例えば、図１に示した比較例では、ケーブル５０３に設けるコネクタをＨＤＭＩ（登録商標）規格に準拠させる場合、光伝送線５２３を電気端子よりも外側の領域に引き出さねばならない。そのため、光伝送線５２３と電気端子とが交差する領域がそのコネクタに生じる。しかし、以上のように構成されたケーブルアセンブリ１００では、光伝送線１２３ａ〜１２３ｄが、ケーブル１０３およびコネクタ１０２の幅方向Ｗにおける端（電気伝送線１３６ａ〜１３６ｇの外側）に設けられているので、ＨＤＭＩ（登録商標）規格に準拠したコネクタ１０２を設ける場合でも、光伝送線１２３ａ〜１２３ｄと電気伝送線１３６ａ〜１３６ｇとを、ケーブルアセンブリ１００内で交差させる必要がなく、シンプルな構造を維持できる。これにより、ケーブルアセンブリ１００では、図１に示した比較例と比べて、コネクタ１０２内での光伝送線１２３ａ〜１２３ｄのそれぞれの配線の長さを短くすることができ、各配線の互いの寸法差を小さくすることができる。これにより、ケーブルアセンブリ１００における光信号の伝送効率を向上させることができる。
【００６１】
また、ケーブルアセンブリ１００では、光伝送線１２３ａ〜１２３ｄが、ケーブルアセンブリ１００の幅方向Ｗにおける端（電気伝送線１３６ａ〜１３６ｇの外側）に設けられているので、図１に示した比較例のような、光伝送線５２３がケーブル５０３の中央付近（電気伝送線５３６の内側）に設けられている構成と比較して、光伝送線１２３ａ〜１２３ｄの端部１２４ａ〜１２４ｄに対する光遮蔽機構（例えば、シャッター、等）や塵埃除去機構（例えば、ブラシ、等）等を、コネクタ１０２等に設けやすい。また、光伝送線１２３ａ〜１２３ｄの端部１２４ａ〜１２４ｄに対する洗浄等のメンテナンスも容易になる。
【００６２】
ケーブルアセンブリにおいて、複数の光伝送線のそれぞれは、ケーブルの延伸方向に沿って、互いに平行に設けられていてもよい。
【００６３】
例えば、実施の形態１に示した例では、ケーブルアセンブリ１００において、複数の光伝送線１２３ａ〜１２３ｄのそれぞれは、ケーブル１０３の延伸方向Ｌに沿って、互いに平行に設けられている。
【００６４】
このように構成されたケーブルアセンブリ１００では、光伝送線１２３ａ〜１２３ｄのそれぞれの長さの互いの寸法差を小さくできるので、ケーブルアセンブリ１００における光信号の伝送効率を向上させることができる。
【００６５】
ケーブルアセンブリにおいて、複数の光伝送線のそれぞれは、ケーブルの延伸方向および幅方向の双方に垂直な方向から見た場合に、直線状であってもよい。
【００６６】
例えば、実施の形態１に示した例では、ケーブルアセンブリ１００において、複数の光伝送線１２３ａ〜１２３ｄのそれぞれは、ケーブル１０３の延伸方向Ｌおよび幅方向Ｗの双方に垂直な方向（高さ方向Ｈ）から見た場合に、直線状である。
【００６７】
このように構成されたケーブルアセンブリ１００では、光伝送線１２３ａ〜１２３ｄのそれぞれの長さの互いの寸法差を小さくできるので、ケーブルアセンブリ１００における光信号の伝送効率を向上させることができる。
【００６８】
ケーブルアセンブリにおいて、複数の光伝送線は、ケーブルの延伸方向および幅方向の双方に垂直な方向から見た場合に、延伸方向に平行なケーブルの中心線に対して対称となるように配置されていてもよい。
【００６９】
例えば、実施の形態１に示した例では、ケーブルアセンブリ１００において、複数の光伝送線１２３ａ〜１２３ｄは、ケーブル１０３の延伸方向Ｌおよび幅方向Ｗの双方に垂直な方向（高さ方向Ｈ）から見た場合に、延伸方向Ｌに平行なケーブル１０３の中心線Ｃに対して対称となるように配置されている。
【００７０】
このように構成されたケーブルアセンブリ１００では、ケーブルアセンブリ１００内において光伝送線１２３ａ〜１２３ｄがバランス良く配置されるので、ケーブルアセンブリ１００内の強度の均一性を向上させることができる。
【００７１】
ケーブルアセンブリにおいて、ケーブルはフラットケーブルであってもよい。
【００７２】
例えば、実施の形態１に示した例では、ケーブルアセンブリ１００において、ケーブル１０３はフラットケーブルである。
【００７３】
このように構成されたケーブルアセンブリ１００では、ケーブル１０３を薄型化することができる。また、ケーブル１０３に柔軟性を与えつつケーブル１０３を曲げるときの曲げ方向および曲げ量を規制して光伝送線１２３ａ〜１２３ｄへのダメージを低減できるように、電気伝送線１３６ａ〜１３６ｇおよび光伝送線１２３ａ〜１２３ｄを覆う被覆部１０４の柔軟性を調整することが容易にできる。
【００７４】
ケーブルアセンブリにおいて、コネクタは、複数の電気伝送線のそれぞれと電気的に接続される複数の電気端子を有し、複数の電気端子のそれぞれは、ＨＤＭＩ（登録商標）規格に準拠して配列されてもよい。複数の光伝送線は、コネクタ内において、複数の電気端子の幅方向における外側に設けられていてもよい。
【００７５】
例えば、実施の形態１に示した例では、ケーブルアセンブリ１００において、コネクタ１０２は、複数の電気伝送線１３６ａ〜１３６ｇのそれぞれと電気的に接続される複数の電気端子１２６を有し、複数の電気端子１２６のそれぞれは、ＨＤＭＩ（登録商標）規格に準拠して配列されている。そして、複数の光伝送線１２３ａ〜１２３ｄは、コネクタ１０２内において、複数の電気端子１２６の幅方向Ｗにおける外側に設けられている。
【００７６】
このように構成されたケーブルアセンブリ１００では、ＨＤＭＩ（登録商標）規格に準拠したコネクタを用いて、光信号を伝送することが可能となる。
【００７７】
（実施の形態１の変形例）
次に、実施の形態１の変形例におけるケーブルアセンブリについて説明する。なお、以下の説明では、実施の形態１に示したケーブルアセンブリ１００が備える構成要素と実質的に同じ構成要素については、その構成要素と同じ符号を付与して、その説明を省略する場合がある。また、以下では、実施の形態１で説明した事項については適宜説明を省略し、実施の形態１と異なる点を主に説明する。
【００７８】
ケーブルアセンブリのケーブルは、複数の電気伝送線および複数の光伝送線を覆う被覆部を有し、複数の光伝送線のそれぞれと被覆部との間には、緩衝材が設けられてもよい。
【００７９】
図１０は、実施の形態１の変形例におけるケーブルアセンブリのケーブル１０３Ａの断面を模式的に示す断面図である。
【００８０】
本変形例におけるケーブル１０３Ａは、複数の電気伝送線１３６ａ〜１３６ｇおよび複数の光伝送線１２３ａ〜１２３ｄを覆う被覆部１０４を有し、複数の光伝送線１２３ａ〜１２３ｄのそれぞれと被覆部１０４との間には、光伝送線１２３ａ〜１２３ｄを覆う緩衝材１４１が設けられている。
【００８１】
緩衝材１４１を形成する材料は、例えば、被覆部１０４よりも柔軟性を有する樹脂である。光伝送線１２３ａ〜１２３ｄを覆う緩衝材１４１の高さ方向Ｈの寸法は、電気伝送線１３６ａ〜１３６ｇのうち、高さ方向Ｈの寸法が相対的に大きい電気伝送線１３６ａ〜１３６ｄの寸法とほぼ等しくてもよい。
【００８２】
このように、光伝送線１２３ａ〜１２３ｄを緩衝材１４１で保護することで、ケーブル１０３Ａが曲げられたときに、光伝送線１２３ａ〜１２３ｄが受けるダメージを低減することができる。また、図１０に示すように、緩衝材１４１と電気伝送線１３６ａ〜１３６ｄとで、高さ方向Ｈの寸法を互いに実質的に等しくした場合、ケーブル１０３Ａが曲げられたときに、ケーブル１０３Ａ内での光伝送線１２３ａ〜１２３ｄの応力と電気伝送線１３６ａ〜１３６ｄの応力との差を小さくできる。これにより、ケーブル１０３Ａが曲げられたときに光伝送線１２３ａ〜１２３ｄが受けるダメージをより低減することができる。
【００８３】
（他の実施の形態）
以上のように、本出願において開示する技術の例示として、実施の形態１および変形例を説明した。しかしながら、本開示は、上記実施の形態に限定されるものではない。例えば、本明細書において記載した構成要素を任意に組み合わせて、また、構成要素のいくつかを除外して実現される別の実施の形態を本開示の実施の形態としてもよい。また、上記実施の形態に対して本開示の主旨、すなわち、請求の範囲に記載される文言が示す意味を逸脱しない範囲で当業者が思いつく各種変形を施して得られる変形例も本開示に含まれる。
【００８４】
そこで、以下、他の実施の形態を例示する。
【００８５】
実施の形態１では、ケーブルアセンブリ１００のコネクタ１０２をプラグとする構成例を示したが、本開示は何らこの構成に限定されない。例えば、ケーブル１０３の端部に設けるコネクタ１０２はレセプタクルであってもよい。すなわち、コネクタ１０２は、プラグまたはレセプタクルのいずれかである。そして、例えば、コネクタ１０２がプラグの場合、コネクタ１０２が接続されるコネクタ１０１はレセプタクルであり、コネクタ１０２がレセプタクルの場合、コネクタ１０１はプラグである。
【００８６】
実施の形態１では、ケーブルアセンブリ１００の両端のそれぞれに光伝送線を２本ずつ設ける構成例を説明したが、本開示は何らこの構成に限定されない。例えば、ケーブルアセンブリ１００の両端のそれぞれに設けられる光伝送線は１本でもよいし、３本以上でもよい。
【００８７】
以上のように、本開示における技術の例示として、実施の形態を説明した。そのために、添付図面および詳細な説明を提供した。
【００８８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８９】
また、上述の実施の形態は、本開示における技術を例示するためのものであるから、特許請求の範囲またはその均等の範囲において種々の変更、置き換え、付加、省略などを行うことができる。
【産業上の利用可能性】
【００９０】
本開示は、高精細度ビデオ信号やオーディオ信号の伝送に使用されるケーブルアセンブリに適用可能である。
【符号の説明】
【００９１】
１００    ケーブルアセンブリ
１０１，１０２    コネクタ
１０３，１０３Ａ，５０３    ケーブル
１０４，５０４    被覆部
１１０    保持空間
１１１    筒体部
１１２    陥凹部
１１３ａ，１１３ｂ，１１３ｃ，１１３ｄ，１２３ａ，１２３ｂ，１２３ｃ，１２３ｄ，５２３    光伝送線
１１４ａ，１１４ｂ，１１４ｃ，１１４ｄ，１２４ａ，１２４ｂ，１２４ｃ，１２４ｄ    端部
１１５    基板
１１６，１２６    電気端子
１１７，１２７    樹脂モールド部
１２１    挿入部
１２２    突出部
１２５    スロット
１３６ａ，１３６ｂ，１３６ｃ，１３６ｄ，１３６ｅ，１３６ｆ，１３６ｇ，５３６    電気伝送線
１３７    樹脂チューブ
１４１    緩衝材
２１０    送信機
２２０    受信機
Ｈ    高さ方向
Ｌ    延伸方向
Ｗ    幅方向
【図１】
2017209098.tif 000003
【図２】
2017209098.tif 000004
【図３】
2017209098.tif 000005
【図４】
2017209098.tif 000006
【図５】
2017209098.tif 000007
【図６】
2017209098.tif 000008
【図７】
2017209098.tif 000009
【図８】
2017209098.tif 000010
【図９】
2017209098.tif 000011
【図１０】
2017209098.tif 000012
【国際調査報告】
2017209098.tif 000013
2017209098.tif 000014